(57)【要約】      （修正有）【課題】携帯に便利に加えて、多角的なゲームにも使うことができる、便利な碁石を提供する。【解決の手段】碁石の表・裏のどちらでも、スチールシートを利用した碁盤に付着するように、表・裏両面の表層部にマグネット材２を埋め込んだ形状・構造を有し、白石の裏面、黒石の裏面には他の色・模様のカラーシール３を付け、４色の碁石として使える組合せを特徴とする。【選択図】図１
0003202785.tif 000002
【実用新案登録請求の範囲】
【請求項１】
碁石の表・裏のどちらでも碁盤（スチールシート利用）に付着するように、表・裏両面の表層部にマグネット材を埋め込んだ形状・構造を特徴とする携帯して利用するのに便利な碁石。
【請求項２】
白石の裏面、黒石の裏面には他の色・模様を付け、４色の碁石として使える組合せを特徴とする請求項１記載の、携帯して利用するのに便利な碁石。
【請求項３】
碁石の軽量化を図るため、比重の小さい材料（プラスチック、木材、紙粘土等）を本体に用いた構造を特徴とする請求項１記載の、携帯して利用するのに便利な碁石。
【考案の詳細な説明】
【技術分野】
【０００１】  碁石は指先で打つので通常は大きさが決まっており、携帯用として利用するのに小型のものもあるが小さくて打ち難いのが現実である。
このため、携帯して利用する碁石は通常の大きさと同じとして軽量化が必要であり、更に盤上で「ずれない」ように磁石付であることが望まれる。
一方で携帯に便利な「四つ割り碁盤」も考案されているので、白・黒の碁石の裏側を別な色・模様とすることで、４色で使える碁石となり、「四つ割り碁盤」を利用した囲碁以外のゲームも行うことができ、多角的な利用ができるようになる。
本案は、このような▲１▼軽量化、▲２▼表・裏の色・模様を変え、▲３▼マグネット材を表・裏の両面に埋め込み「ずれ」を防止し、４色で利用できる碁石の形状・構造に関するものである。
【技術的背景】
【０００２】  携帯用としては二つ折り碁盤、小型化碁盤、磁石付碁盤、布または皮等の折り畳める碁盤、電子碁盤等が実用化さている。しかし、持ち運びには大きい、小さくて使いづらい、碁石を使わないのは面白くない等の不満があり、通常の大きさの碁石・碁盤での利用や囲碁だけとは云わず、多角的な利用ができないかとの要望もある。
【考案の概要】
【考案が解決しようとする課題】
【０００３】  通常は碁盤の大きさは決まっているが、現在では碁盤を四分割したものを簡単に接続、固定して一体化し、「二つ折り碁盤」となり、開いて通常の大きさで利用ができ、また分割すれば四分の一の大きさの盤が四枚となる「四つ割り碁盤」が考案されている。
この「四つ割り碁盤」と組み合わせて、携帯に便利であり、多角的にも利用できるように、本案では白・黒の碁石の裏面の色・模様を変えて４色の碁石として使えるようにする。
また、碁石の両面にはマグネット材を埋め込み、どちらの面で打っても碁盤（スチールシートを利用した）に付着し、ずれないようにする。
そして、碁石の軽量化のために碁石本体の材料には比重の小さいものを使用する。
【課題を解決するための手段】
【０００４】「四つ割り碁盤」の四枚の四辺にマグネット材を埋め込んでおくことで、スチールシートを利用した碁盤等のゲーム盤が付着し、固定され、同時にマグネット材が表・裏に埋め込まれた碁石が、どちらの面ででも碁盤等へ付着し、「ずれ」を生じない。そして、白・黒碁石の裏の色・模様を変えることで四色の碁石として多角的に使えるようになる。
碁石の軽量化のためには碁石本体には比重の小さい材料を用いる。
【考案の効果】
【０００５】１．本案の碁石と「四つ割り碁盤」をセットすることで、携帯利用への便利さと軽量化を    確保できる「磁石付き囲碁セット」となる。
２．碁石が４色となることで、碁盤・碁石を用いた他のゲームにも利用でき、多角的に楽    しめるようになる。
３．碁石は指先で使い易いように通常の大きさを標準とするが比重の小さい材料を使用す    ることで軽量化が図れる。携帯用に小型とする場合でも碁石の大きさは９０％ぐらい    で抑えることが望まれる。
４．マグネット材は強力なものもあり、コーティング等をしても付着力が不足することは    ない。
５．碁石の両面は平坦部を設けて付着力の効率を高め、「ずれ止め」の効果が良くなる。
６．碁石は高級感や快適な打音が出るように木材を素材に用いるのもよい。
７．「四つ割り盤」の四辺にマグネット材を埋め込んでおくことでスチールシートの両面    を用いた１９路盤、１３路盤、将棋盤、オセロ盤等をしっかりと固定させ、多角的な    利用ができる。
８．分割すれば四枚の盤となるので、９路盤を四枚、または碁石の表・裏を利用する小型    のオセロ盤を四枚として利用でき、多人数での利用が可能となる。
９．碁石・碁盤を利用して次のような特徴を持つゲームもできる。
ａ．主に囲碁の碁盤・碁石を利用したゲーム
ｂ．子供向けの簡単で優しいゲーム
ｃ．四人で楽しめるゲーム
ｄ．ゲームを複数選定し、技術に応じたトライアスロンゲーム、近代五種ゲーム的な        総合ゲームができる。
ｅ．大会などの場合四人のゲームを取り入れることで、勝者を効率よく絞っていくこ        とができ、多人数でも時間を節約して勝ち抜き戦を行い、決戦まで行ける。
ｆ．携帯に便利なので、各自が「囲碁セット」を持参することで場所を用意するのみ        で大会が開ける。
【図面の簡単な説明】
【０００６】
【図１】断面図
【図２】平面図
【図３】（１）は白石（表）、（２）は白石の裏、（３）は黒石（表）、（４）は黒石の裏
【考案を実施するための形態】
【０００７】  碁石は通常、黒石は石材、白石は貝殻を削って、比重が２．３〜２．７程度の材料で造られているが、本案では碁石の断面図１  のように本体に比重の小さいもの（例  プラスチック、木材、紙粘土等）を用い、▲１▼マグネット材を表・裏の表層部に埋め込みスチールシートを利用した盤面に付着するようにして表面（Ａ）には白色、または黒色のコーティングをするか、色付けをしたシールを貼り、裏面（Ｂ）には他の色・模様を付けて、▲２▼表と裏の色を変えることで四色の碁石として利用できるようにする。マグネット材は磁力の強いものもあるので表面にコーティング等をされても必要な磁力は確保できる。そしてスチールシートの両側に▲３▼碁盤面等をコーティングまたはシートで貼り付け、「四つ割り盤」に付着させることに依って、通常の「磁石付き囲碁セット」と同じとなり、碁石は表・裏の色が異なるので四色の碁石となり多角的な利用ができることとなる。
碁石本体に用いる▲３▼材料は比重の小さいものを用いることで大きさや、形状が通常の碁石と同じでも、数分の一の軽量となり付着力があるので携帯して使うのに便利となる。
付着効率を良くするため、碁石の表面は指先で挟むのに支障がない程度に平坦部を設ける。
打音を良くするためには木材等を本体に用いることによって打音への効果と共に高級感も生み出せる。
以上のような碁石本体に▲１▼比重の小さい材料、▲２▼碁石の表・裏で異なる色・模様付け▲３▼碁石の両面へのマグネット材の埋め込みにより、大きさ、形状は通常とほとんど同じで、重量は数分の一程度と軽くなって、指先での握りには違和感も無く、付着力があり、打音もあるので、逆に打ち易い感触を得られる。
また、碁石の表裏の色・模様が四色となることで、多角的な、多人数で行うゲーム等ができるようになる。
【符号の説明】
【０００８】１．本体
２．マグネット材
３．カラーシール
【図１】
0003202785.tif 000003
【図２】
0003202785.tif 000004
【図３】
0003202785.tif 000005
【手続補正書】
【提出日】平成27年11月26日(2015.11.26)
【手続補正１】
【補正対象書類名】実用新案登録請求の範囲
【補正対象項目名】全文
【補正方法】変更
【補正の内容】
【実用新案登録請求の範囲】
【請求項１】
碁石の表・裏のどちらでも、スチールシートを利用した碁盤に付着するように、表・裏両面の表層部にマグネット材を埋め込んだ形状・構造を特徴とする携帯して利用するのに便利な碁石。
【請求項２】
白石の裏面、黒石の裏面には他の色・模様を付け、４色の碁石として使える組合せを特徴とする請求項１記載の、携帯して利用するのに便利な碁石。
【請求項３】
碁石の軽量化を図るため、比重の小さい材料を本体に用いた構造を特徴とする請求項１記載の、携帯して利用するのに便利な碁石。